(57)【要約】  電子装置（１）は、ディスプレイ（２）とキーパッド（３）の少なくともいずれかのイルミネーションを制御する。電子装置はディスプレイ及びキーパッドを有するユーザインタフェースを備える。照明装置（７）はディスプレイ（７ａ）とキーパッド（７ｂ）の少なくともいずれかにイルミネーション効果を与え、それによってディスプレイとキーパッドの少なくとも一方を照明する。電子装置はカレンダユニット（２１）を更に備える。カレンダユニットに接続された検出器（２２）は、例えばカレンダユニットから生成される特定の日、月、年、ミーティングの約束などのカレンダイベントを検出する。また、照明装置及び検出器にはコントローラ（２０）が接続され、このコントローラは、検出されたカレンダイベントに応じて照明装置のイルミネーション効果を制御する。本発明は、方法及びコンピュータプログラムにも関連する。
2010512038.tif 000002
【特許請求の範囲】
【請求項１】
ディスプレイとキーパッドとを含むユーザインタフェースと、
前記ユーザインタフェースに接続され、前記ディスプレイと前記キーパッドの少なくとも一方に対するイルミネーション効果を与え、前記ディスプレイと前記キーパッドの少なくとも一方を照明する照明装置と、
カレンダユニットと、
前記カレンダユニットに接続され、前記カレンダユニットから生成されたカレンダイベントを検出する検出器と、
前記照明装置と前記検出器とに接続され、前記検出されたカレンダイベントに応じて前記照明装置のイルミネーション効果を制御するコントローラと、
を有することを特徴とする電子装置。
【請求項２】
前記検出器によって特定のカレンダイベントが検出されたとき、
前記コントローラは、前記検出された特定のカレンダイベントに関連づけられた特定のイルミネーション効果を与えるよう前記照明装置に要求する制御信号を、前記照明装置へ送信し、
前記照明装置は、前記制御信号を受信し、該制御信号に応答して、前記イルミネーション効果を生成する
ことを特徴とする請求項１に記載の電子装置。
【請求項３】
前記照明装置は、該照明装置から放射された光を有するイルミネーション効果を与えることを特徴とする請求項２に記載の電子装置。
【請求項４】
前記照明装置は、該照明装置から放射された光による特定の輝度を有するイルミネーション効果を与えることを特徴とする請求項２に記載の電子装置。
【請求項５】
前記照明装置は、所定時間にわたり増加する輝度を有するイルミネーション効果を与えることを特徴とする請求項２に記載の電子装置。
【請求項６】
前記照明装置は、該照明装置から放射されたパルス光又は点滅光によるイルミネーション効果を与えることを特徴とする請求項２に記載の電子装置。
【請求項７】
前記照明装置は、前記照明装置から放射された、約３８０ｎｍ乃至７４０ｎｍの電磁気スペクトル、すなわち人間の目に見えるスペクトルの範囲の波長を有する光によるイルミネーション効果を与えることを特徴とする請求項２に記載の電子装置。
【請求項８】
前記照明装置は、該照明装置から放射された光を含み、前記光の波長が所定時間にわたって連続的に変動し、これにより前記光の波長が前記所定時間内に１つの波長から別の波長へと連続的に変動するようにイルミネーション効果を与えることを特徴とする請求項２に記載の電子装置。
【請求項９】
前記照明装置は、前記ディスプレイへ提供されるテーマとなるイルミネーション効果を与えることを特徴とする請求項２に記載の電子装置。
【請求項１０】
前記ユーザインタフェースは、前記コントローラに接続され音響効果を与えるスピーカを更に有し、前記コントローラは、前記検出されたカレンダイベントに応じて前記スピーカの前記音響効果を制御することを特徴とする請求項１に記載の電子装置。
【請求項１１】
前記音響効果は音楽サウンド又は着信音であることを特徴とする請求項１０に記載の電子装置。
【請求項１２】
前記カレンダイベントは、時刻、日、月、又は年による特定の時点であることを特徴とする請求項１に記載の電子装置。
【請求項１３】
検出された２つの前記カレンダイベントの間の経過時間を計測するタイマを更に備え、
前記コントローラは、前記経過時間がしきい値を超えたとき、前記イルミネーション効果を第１のイルミネーション効果から第２のイルミネーション効果へ変更するための制御信号を前記照明装置に送信する
ことを特徴とする請求項１２に記載の電子装置。
【請求項１４】
前記コントローラに接続され、前記電子装置の位置を特定する測位ユニットを更に備え、
前記コントローラは、前記特定された位置に応じて前記照明装置の前記イルミネーション効果を制御する
ことを特徴とする請求項１に記載の電子装置。
【請求項１５】
前記コントローラに接続され、前記電子装置の位置を特定する測位ユニットを更に備え、
前記コントローラは、前記特定された位置に応じて前記スピーカの前記音響効果を制御する
ことを特徴とする請求項１０に記載の電子装置。
【請求項１６】
前記電子装置は、携帯用無線通信機器、移動体無線端末、携帯電話、セルラ電話、ページャ、コミュニケータ、電子手帳、スマートフォン、コンピュータを含むグループから選択された装置であることを特徴とする請求項１乃至１５のいずれか１項に記載の電子装置。
【請求項１７】
電子装置のユーザインタフェースのイルミネーション効果を制御するための方法であって、
前記ユーザインタフェースのキーパッドとディスプレイの少なくとも一方に対するイルミネーション効果を与え、前記ディスプレイと前記キーパッドのうちの少なくとも一方を照明するステップと、
カレンダユニットからのカレンダイベントを検出するステップと、
検出されたカレンダイベントに応じて前記イルミネーション効果を制御するステップと、
を有することを特徴とする方法。
【請求項１８】
前記ユーザインタフェースのスピーカに音響効果を与えるステップと、
前記検出されたカレンダイベントに応じて前記音響効果を制御するステップと、
を更に有することを特徴とする請求項１７に記載の方法。
【請求項１９】
前記電子装置の位置を特定するステップと、
前記特定された位置に応じて前記イルミネーション効果を制御するステップと、
を更に有することを特徴とする請求項１７に記載の方法。
【請求項２０】
前記電子装置の位置を特定するステップと、
前記特定された位置に応じて前記音響効果を制御するステップと、
を更に有することを特徴とする請求項１８に記載の方法。
【請求項２１】
電子装置のユーザインタフェースのイルミネーション効果を制御するために、コンピュータ機能を備えた前記電子装置によって実行されるコンピュータプログラムであって、
前記ユーザインタフェースのディスプレイとキーパッドのうちの少なくとも一方に対するイルミネーション効果を与え、前記ディスプレイと前記キーパッドのうちの少なくとも一方を照明するステップのコードと、
カレンダユニットからのカレンダイベントを検出するステップのコードと、
検出されたカレンダイベントに応じて前記イルミネーション効果を制御するステップのコードと、
を含むことを特徴とするコンピュータプログラム。
【発明の詳細な説明】
【技術分野】
【０００１】
本発明は、携帯電話などの電子装置に関し、特に、このような電子装置のキーパッド及びディスプレイの少なくともいずれかのイルミネーションに関する。また、本発明は、電子装置のキーパッド及びディスプレイの少なくともいずれかのイルミネーションを制御する方法並びにコンピュータプログラムにも関する。
【背景技術】
【０００２】
携帯電話、スマートフォン、携帯情報端末（ＰＤＡ）、コンピュータ等の電子装置が広く用いられている。これらの装置はユーザインタフェース（ＵＩ）を有する。ユーザインタフェースには、電子装置へ入力する情報やコマンドを入力するための入力用ＵＩが含まれる。この入力用ＵＩには、マイクロホン、１つ以上のキーを有する英数字キーパッド、ジョイスティック、ロッカーパッド（rockerpad）、タッチスクリーン、ジョグダイアルのようなスクロールボタンなどがある。また、ユーザインタフェースには、情報やデータを表示又はレンダリングするための出力用ＵＩも含まれる。この出力用ＵＩには、スピーカ、バイブレータ、ディスプレイなどがある。
【０００３】
従来、電子装置のユーザエクスペリエンス（user experience）は、時間が経過しても大きく変わるものではなかった。しかし、電子装置の耐用期間中に電子装置のユーザエクスペリエンスを変更又はパーソナライズすることがますますポピュラーになっているというのが、現在のトレンドである。
【０００４】
電子装置のオーディオエクスペリエンス（audio experience）又はオーディオインプレッション（audio impression）に関しては、従来、携帯電話に新たな着信音をダウンロードすることにより、後で着信音を変更するといった、携帯電話のパーソナライズが知られている。このパーソナライズは、種々のサービスプロバイダによって提供されるリモートサーバから着信音をダウンロードすることによって行うことが可能である。しかし、電子装置のオーディオエクスペリエンスやオーディオインプレッションの変更又はパーソナライズをこのようにして行うためには、ユーザの介在が必要である。
【０００５】
しかしながら、電子装置のビジュアルエクスペリエンス（visual experience）又はビジュアルインプレッション（visual impression）は、携帯電話のオーディオエクスペリエンスとは異なり、これらは依然として、時間的に不変のものである。すなわち、電子装置のビジュアルアピアランス（visual appearance）又は外観は、電子装置の耐用期間中、ほぼ同じままである。
【０００６】
このように、上述した従来の欠陥、欠点を軽減、緩和、あるいは除去した電子装置、方法、及びコンピュータプログラムを提供することのニーズがある。具体的には、電子装置のビジュアルアピアランスを後で変更できる方法のニーズがある。好適には、ユーザの介入を１回だけ受けるか、又は好適にはほとんど若しくは全くユーザの介入を受けることなく、電子装置のビジュアルアピアランスを変更できるようにするが望まれる。
【０００７】
本発明の第１の側面によれば、電子装置は、ディスプレイとキーパッドとを含むユーザインタフェースと、前記ユーザインタフェースに接続され、前記ディスプレイと前記キーパッドの少なくとも一方に対するイルミネーション効果を与え、前記ディスプレイと前記キーパッドの少なくとも一方を照明する照明装置と、カレンダユニットとを備える。検出器が前記カレンダユニットに接続され、この検出器は、前記カレンダユニットから生成されたカレンダイベントを検出する。また、コントローラが前記照明装置と前記検出器とに接続され、このコントローラは、前記検出されたカレンダイベントに応じて前記照明装置のイルミネーション効果を制御する。
【０００８】
前記カレンダイベントは、時刻、日、月又は年などの一定の時点とすることができる。
【０００９】
前記検出器によって特定のカレンダイベントが検出されたとき、前記コントローラは、前記検出された特定のカレンダイベントに関連づけられた特定のイルミネーション効果を与えるよう前記照明装置に要求する制御信号を、前記照明装置へ送信する。前記照明装置は、前記制御信号を受信し、該制御信号に応答して、前記イルミネーション効果を生成することができる。
【００１０】
前記照明装置は、該照明装置から放射された光を有するイルミネーション効果を与えることができる。
【００１１】
前記照明装置は、該照明装置から放射された光による特定の輝度を有するイルミネーション効果を与えることができる。
【００１２】
前記照明装置はイルミネーション効果を与えることができ、そのイルミネーション効果は照明装置から放射される光を有する。その場合、光の輝度は所定時間にわたり増加していく。
【００１３】
前記照明装置は、該照明装置から放射されたパルス光又は点滅光によるイルミネーション効果を与えることができる。
【００１４】
照明装置は、イルミネーション効果を与えることができ、このイルミネーション効果は照明装置から放射される光を有し、その場合、この放射光は約３８０ｎｍ乃至７４０ｎｍの電磁気スペクトル（すなわち人間の目に見えるスペクトル）の範囲の波長を有する。
【００１５】
前記照明装置はイルミネーション効果を与えることができ、該イルミネーション効果は照明装置から放射される光を有し、この放射光の波長は所定時間にわたり連続的に変動し、該放射光の波長は所定時間内に１つの波長から別の波長へと連続的に変動する。
【００１６】
前記照明装置は、前記ディスプレイへ提供されるテーマとなるイルミネーション効果を与えることができる。
【００１７】
前記ユーザインタフェースは、前記コントローラに接続され音響効果を与えるスピーカを更に有し、前記コントローラは、前記検出されたカレンダイベントに応じて前記スピーカの前記音響効果を制御することができる。
【００１８】
前記音響効果は音楽サウンド又は着信音とすることができる。
【００１９】
前記電子装置は、検出された２つの前記カレンダイベントの間の経過時間を計測するタイマを更に備える。前記コントローラは、前記経過時間がしきい値を超えたとき、前記イルミネーション効果を第１のイルミネーション効果から第２のイルミネーション効果へ変更するための制御信号を前記照明装置に送信することができる。
【００２０】
前記電子装置はまた、前記コントローラに接続され、前記電子装置の位置を特定する測位ユニットを更に備えることができる。このとき前記コントローラは、前記特定された位置に応じて前記照明装置の前記イルミネーション効果を制御する。更に、又は、前記コントローラは、前記特定された位置に応じてスピーカの音響効果を制御することができる。
【００２１】
前記電子装置は、携帯用無線通信機器、移動体無線端末、携帯電話、セルラ電話、ページャ、コミュニケータ、電子手帳、スマートフォン、コンピュータを含むグループから選択された装置でありうる。
【００２２】
本発明の第２の側面によれば、電子装置のユーザインタフェースのイルミネーション効果を制御するための方法が提供される。この方法は、前記ユーザインタフェースのキーパッドとディスプレイの少なくとも一方に対するイルミネーション効果を与え、前記ディスプレイと前記キーパッドのうちの少なくとも一方を照明するステップと、カレンダユニットからのカレンダイベントを検出するステップと、検出されたカレンダイベントに応じて前記イルミネーション効果を制御するステップとを有する。
【００２３】
本方法は、前記ユーザインタフェースのスピーカに音響効果を与えるステップと、前記検出されたカレンダイベントに応じて前記音響効果を制御するステップとを更に有することができる。
【００２４】
本方法は、前記電子装置の位置を特定するステップと、前記特定された位置に応じて前記イルミネーション効果を制御するステップとを更に有することができる。本方法は更に、又は上記とは別に、前記特定された位置に応じて音響効果を制御するステップを有することができる。
【００２５】
本発明の第３の側面によれば、電子装置のユーザインタフェースのイルミネーション効果を制御するために、コンピュータ機能を備えた前記電子装置によって実行されるコンピュータプログラムが提供される。このコンピュータプログラムは、前記ユーザインタフェースのディスプレイとキーパッドのうちの少なくとも一方に対するイルミネーション効果を与え、前記ディスプレイと前記キーパッドのうちの少なくとも一方を照明するステップのコードと、カレンダユニットからのカレンダイベントを検出するステップのコードと、検出されたカレンダイベントに応じて前記イルミネーション効果を制御するステップのコードとを含む。
【００２６】
例えば、コントローラによって、ミーティングの約束、誕生日などの検出されたカレンダイベントに応じて制御可能なイルミネーション効果を有する照明装置を設けることによって、時間の経過と共に電子装置のキーパッド及びディスプレイの少なくともいずれかへ与えられるイルミネーション効果を変更又はパーソナライズすることが可能となる。したがって、本発明のいくつかの実施形態は、検出されたカレンダイベントに応じて、時間の経過と共に電子装置のビジュアルアピアランスを変更可能にするための解決方法を提供することになる。時間の経過と共に電子装置のビジュアルアピアランスを変更できることは本発明の実施形態に関する利点である。というのは、この変更によってユーザは電子装置エクスペリエンスを高めることが可能になるからである。現在、電子装置のエモーショナルデザインに対する関心が高まってきているため、この解決方法が将来電子装置の重要な特徴になると考えられる。
【００２７】
本発明のいくつかの実施形態によれば、時間の経過と共にオーディオアピアランス（audio appearance）を変更できるようにするための解決方法も提供される。検出されたカレンダイベントに応じてコントローラにより音響効果又は音響出力を制御可能なスピーカを設けることによって、時間の経過と共に音響効果を変更又はパーソナライズすることが可能となる。
【００２８】
更に、本発明のいくつかの実施形態によれば、その耐用期間中に電子装置のオーディオアピアランス又はビジュアルアピアランスを変更又はパーソナライズしたりするためにユーザが介入する必要がほとんどないか、あるいはまったくない。したがって、本発明のいくつかの実施形態は、電子装置のオーディオアピアランスやビジュアルアピアランスを変更又はパーソナライズするための、公知の技術によって提供される方法よりも更に自動化された方法を提供するものである。
【００２９】
更にいくつかの実施形態は、カレンダイベントに応じるだけでなく、特定された電子装置の位置に基づいても、電子装置のオーディオアピアランスやビジュアルアピアランスを時間の経過と共に変更できるようにするための解決方法を提供する。これには、電子装置がどこに位置しているかに応じてビジュアルアピアランスやオーディオアピアランスを変更することが可能となり、この変更によって電子装置のユーザエクスペリエンスを更に向上できるという利点がある。
【００３０】
本発明のさらなる目的、特徴及び利点は、以下の本発明の実施形態についての詳細な説明から理解されよう。以下、添付図面を参照しながら本発明の実施形態について更に詳細に説明を行う。
【図面の簡単な説明】
【００３１】
【図１】携帯電話として具現化された電子装置の概略図である。
【図２】図１の携帯電話の実施形態のブロック図である。
【図３】図１の携帯電話の別の実施形態のブロック図である。
【図４】図１の携帯電話の更に別の実施形態のブロック図である。
【図５】本発明の実施形態に基づく方法を例示するフローチャートである。
【発明を実施するための形態】
【００３２】
以下、本発明の実施形態を示す添付図面を参照しながら本発明の実施形態について更に十分に説明する。なお、本発明は各種多数の態様で実施可能であり、本明細書で説明される実施形態に限定されるものと解釈されるべきでない。むしろこれら実施例は本開示が完全であり、本発明の範囲を当業者に十分に伝えるために提供するものである。同一の番号は図面の説明を通じて同一の要素を示すものとする。
【００３３】
図１は、携帯電話１として具現化された電子機器を例示する。本発明の実施形態は、多種多様の電子装置として実施可能である。電子装置は例えば、移動体無線端末、ページャ、コミュニケータ、スマートフォン、携帯情報端末（ＰＤＡ）、電子手帳、コンピュータなどでありうる。以下の説明は、携帯電話１に関連して行うことにするが、この説明はあくまで例示を目的とするものであり、本発明がこの実施形態に限定されるものと考えるべきではない。
【００３４】
図１に示す実施形態では、携帯電話１は液晶ディスプレイ（ＬＣＤ）などのディスプレイ２を備え、このディスプレイにデータを表示したり、データを描画したりすることができる。携帯電話１は情報又はコマンドを携帯電話１へ入力するための１以上のキーを有するキーパッド３も備える。更に、携帯電話は通信ネットワーク４の間を往来する信号を受信／送信するための内蔵アンテナ（図示せず）を備え、この通信ネットワーク４を介して携帯電話１は他の電子装置と通信を行うことができる。携帯電話１はマイクロホン５も備え、このマイクロホン５を通じて、ユーザは通話を行うことができる。更に、携帯電話１はスピーカ６を備え、このスピーカ６を通じてユーザは通話を聞いたり、音楽を聴いたりすることができる。
【００３５】
携帯電話１は、ディスプレイ２とキーパッド３の少なくともいずれかにイルミネーション効果を与えるように構成された照明装置７を更に備え、それによってディスプレイ２とキーパッド３の少なくともいずれかのイルミネーション又はライティングが行われる。本明細書で用いられているように、イルミネーション効果（illumination effect）という用語は、ディスプレイ２とキーパッド３の少なくともいずれかを照明する照明装置７から放射される任意の光を意味する。照明装置７は、後述するコントローラ（図２）から送信される制御信号に従って制御される。照明装置７は、後部からディスプレイ２とキーパッド３の少なくともいずれかを照明するように適合されたバックライトデバイスであってもよい。更に、照明装置７は、ＲＧＢ  ＬＥＤデバイスのような発光ダイオード（ＬＥＤ）デバイスから構成されたものであってもよい。いくつかの実施形態では、照明装置は、ディスプレイ２を照明するための第１のバックライトデバイス７ａと、キーパッド３を照明するための第２のバックライト７ｂとによって提供される。ディスプレイ２とキーパッド３の少なくともいずれかのイルミネーションが可能となるため、これが、夜間においても、あるいは、貧弱なライティング環境においても、ディスプレイ上で文字を読んだり所望のキーパッドのキーを選択するなどを行う際のユーザの助けとなることは明らかである。
【００３６】
図２は図１に示した携帯電話１の実施形態を例示する図である。携帯電話１は照明装置７のオン／オフを行うコントローラ２０を備える。更に、コントローラ２０は、ディスプレイ２とキーパッド３の少なくともいずれかを照明する照明装置７によって与えられるイルミネーション効果を制御する。コントローラ２０は、照明装置７を制御して、ディスプレイ２とキーパッド３の少なくともいずれかに１以上のイルミネーション効果を与えるように更に構成される。イルミネーション効果は光の輝度（すなわち照明装置７からの放射光のイルミネーションレベル）であってもよい。更に、イルミネーション効果はパルス光又は点滅光としてもよい。更に、イルミネーション効果は約３８０ｎｍ乃至７４０ｎｍの電磁気スペクトルの範囲の人間の目に見えるスペクトルの範囲内の一定の波長を持つ光であるとよい。すなわち、人間の目によって知覚されるとき、イルミネーション効果は異なる色の光となることができる。更に、このイルミネーション効果は、所定時間にわたり連続的に変更することが可能な、照明装置７からの放射光を含むようにしてもよい。すなわち、放射光の波長は所定時間の範囲内で１つの波長から別の波長へ連続的に変えるようにするとよい。その結果、人間の目によって知覚されるとき、放射光の色は所定時間にわたり連続的に変化することができる。更に、このイルミネーション効果は放射光であってもよく、放射光の輝度は所定時間にわたって増加する。２以上のイルミネーション効果が、照明装置７によってディスプレイ２とキーパッド３の少なくともいずれかに与えられる場合、別個の態様か同時の態様かのいずれかの態様で上述のイルミネーション効果のうちの２以上のイルミネーション効果を任意の組み合わせで組み合わせることも可能である。
【００３７】
携帯電話１において、図１に例示のコントローラ２０は、制御信号を照明装置７へ送信して、ディスプレイ２とキーパッド３の少なくともいずれかに対して上述の１以上のイルミネーション効果を与えるよう照明装置７へ要求し、それによってディスプレイ２とキーパッド３の少なくともいずれかが適宜照明されるようにすることができる。イルミネーション効果がディスプレイ２のみへ与えられると、イルミネーション効果は更にテーマを持つことができる。本明細書において、「テーマ」という用語は、ディスプレイ２の部分のビジュアルの全体的なビジュアルアピアランスを意味しており、特に、メニュー及び強調表示用のカラースキーム、背景画像、ユーザアイコン及びフォルダアイコンなどを含む。例えば、イルミネーション効果は、人間の目によって知覚されるとき、何らかのオブジェクト、すなわちディスプレイ２に表示されるメニュー、背景画像、アイコンなどに関連して放射光の色を変え、それによって、表示オブジェクトの色を時間の経過と共に変動させるようにすることも可能である。
【００３８】
携帯電話１はカレンダ機能を有するカレンダユニット２１も備える。カレンダ機能は、時刻、日、週、月、年などのある時点のようなカレンダイベントを含む。携帯電話１のユーザは、誕生日、ミーティングの約束、バレンタインデーなどの特別の日付のようなカレンダ機能と相互に情報の交換を行うと共に、カレンダ機能を動作させて、カレンダイベントの入力、編集、又は消去を行うようにすることができる。更に、検出器２２は、カレンダユニット２１と電子的に接続されて、種々のカレンダイベントを特定するか、又は、一定の時刻、日、週、月、年、誕生日などを決定するようにする。検出器２２とカレンダユニット２１とは別個のユニットとして図１に例示されてはいるが、これらの２つのユニットは、単一のユニットに一体化することも可能である。
【００３９】
コントローラ２０は電子的に検出器２２に接続される。あるカレンダイベント（誕生日、ミーティングの約束など）が検出器２２によって検出されると、コントローラ２０は更に、制御信号を照明装置７へ送信し、それによって、検出されたカレンダイベントに関連づけられたイルミネーション効果を与えるよう照明装置７に要求する。更に、照明装置７は上述の制御信号を受信し、それに応答して特定のイルミネーション効果を生成し、ディスプレイ２とキーパッド３のうちの少なくとも一方へこのイルミネーション効果を与える。
【００４０】
特定のイルミネーション効果が特定のカレンダイベントに関連づけられているので、検出された異なるカレンダイベントに応じてディスプレイ２とキーパッド３の少なくともいずれかを時間の経過と共に別様に照明することが可能となる。こうすることによって、ディスプレイ２とキーパッド３の少なくともいずれかに対して異なる日付、月、年、などにおいて異なるイルミネーション効果を与えることができるという点で、携帯電話１のビジュアルアピアランス又はビジュアルインプレッションを変更したりパーソナライズしたりすることが可能となる。例えば、これによって、例えばバレンタインデーには、ディスプレイ２とキーパッド３の少なくともいずれかに赤色光、すなわち約６２５ｎｍ乃至７４０ｎｍの波長を含む光を与えることができる。同様に、検出されたカレンダイベントが特定の種類のミーティングの約束である場合には、ディスプレイ２とキーパッド３の少なくともいずれかがパルス光又は点滅光を出力することができる。特定のカレンダイベントと特定のイルミネーション効果との関連付けは、携帯電話１において予めプログラムしておくか、あるいは、携帯電話１のユーザインタフェースを介して、携帯電話１のユーザが上記関連付けの編集やプログラミングを行うことによってなされる。
【００４１】
１つの実施形態では、照明装置７はディスプレイ２とキーパッドとに同時にイルミネーション効果を与え、それによって例えば、表示された雪片のアイコンがディスプレイ２から落下し、キーパッド３にその落下が続き、キーパッド３の中を雪片が通過できるようにすることもできる。
【００４２】
いくつかの実施形態では、携帯電話１は例えば検出器２２と一体になっているタイマ（図示せず）を更に備える。このタイマは、検出された２つのカレンダイベントの間の経過時間を決定する。その場合、コントローラは制御信号を照明装置７へ送信し、それによって、経過時間がしきい値を超えたとき、照明装置７は、（赤色で放射される光などの）第１のイルミネーション効果から、（青色で放射される光などの）第２のイルミネーション効果へイルミネーション効果を変えるようにすることができる。このようにして、検出された２つのカレンダイベントの間の経過時間が一定時間を経過したときに、照明されるディスプレイ２とキーパッド３の少なくともいずれかから、人間の目によって知覚されるビジュアルアピアランスを変えることができる。
【００４３】
図３は、図１に示した携帯電話１の別の実施形態を示す図である。図３に示すように、携帯電話１は、図２の携帯電話１と類似の構成要素又はユニットを備える。図３に示す実施形態の携帯電話１はスピーカ４を更に備える。このスピーカ４はコントローラ２０と電気的に接続される。図３に示す実施形態では、コントローラ２０は、特定のイベントが検出器によって検出されると、制御信号をスピーカへ送信し、それによって、検出された特定のカレンダイベントに関連づけられた特定の音響効果を出力するようスピーカに要求する。スピーカは、制御信号を受信し、この制御信号に応答して特定の音響効果を生成し、この音響効果を出力する。音響効果は、着信音や、ＭＰ３、ＡＡＣなどの任意の所定のフォーマットの音楽サウンドなどであってもよい。
【００４４】
図２の携帯電話１の技術的効果及び利点に加え、図３の携帯電話は、例えば、検出された異なるカレンダイベントに応じて、スピーカ４が時間の経過と共に異なる着信音を出力することができるというさらなる利点などを有する。こうすることによって、携帯電話１は、時間の経過と共に携帯電話のオーディオアピアランス又はオーディオインプレッションを変更又はパーソナライズすることができる。スピーカは、例えば、異なる日付、月、年、などに応じて、携帯電話が着呼したとき、異なる着信音を出力するように予め設計することができる。例えば、これによってスピーカ４は、バレンタインデーには、着信音としてラブソングを出力することができる。この場合も、特定の日のような特定カレンダイベントと特定のイルミネーション効果との間の関連付けは、携帯電話１において予めプログラムしておくか、あるいは、携帯電話１のユーザインタフェースを介して、携帯電話１のユーザが関連付けの編集やプログラミングを行ったりすることによりなされる。また、これにより、スピーカ４は、例えば、夏には（短音階の）より明るい音やより楽しい音を着信音として出力し、冬には（長音階の）より暗い音を着信音を出力するなど、１年の間で異なる着信音を出力することができる。
【００４５】
図４は、図１に示した携帯電話１の更に別の実施形態を示す図である。図４に示すように、携帯電話１は、図３の実施形態の携帯電話１と類似の構成要素又はユニットを備える。図４の携帯電話１は、コントローラ２０と電気的に接続された測位ユニット４０を更に備える。測位ユニット４０は携帯電話１の位置を特定する。測位ユニット４０は、ＧＰＳ衛星からＧＰＳ信号を受信するためのアンテナ（図示せず）に接続されたグローバル・ポジショニング・システム（ＧＰＳ）ユニットなどであってもよい。あるいは、測位ユニット４０は、テレコミュニケーションネットワーク４から位置特定情報を受信することによって携帯電話の位置を特定する測位ユニットであってもよい。図４に示す携帯電話１のコントローラ２０は、移動体通信装置１の特定された位置に応じて照明装置のイルミネーション効果を制御する。あるいは、図４に示す携帯電話１のコントローラ２０は、移動体通信装置１の特定された位置に応じてスピーカ４の音響効果を制御する。
【００４６】
図２及び図３の携帯電話１のそれぞれ前述した技術的効果及び利点に加え、図４に例示の携帯電話１は、ディスプレイ２やキーパッド３のビジュアルアピアランスと、スピーカ４のオーディオアピアランスとの少なくともいずれかを携帯電話１の位置に応じて変動させることができるというさらなる利点を有している。こうすることによって、携帯電話１がどこに位置しているかに基づいて携帯電話１の変更又はパーソナライズを行うことができる。１つの実施例として、ユーザとそのユーザの携帯電話１がアラビア半島に位置しているとき、極東音楽の曲や極東のテーマをユーザインタフェースを介して提供することができる。一方、ユーザ及びそのユーザの携帯電話１がスカンジナビアに位置しているとき、スカンジナビアスタイルの携帯電話１のユーザインタフェースのオーディオアピアランス及びビジュアルアピアランスを提供することができる。更に、別例として、オフィスに位置しているときは、オフィスに関連する視覚効果と音響効果の少なくともいずれかの効果を提供でき、家庭や戸外に位置する場合には、個人的な視覚効果と音響効果の少なくともいずれかの効果を提供できる。特定の場所と特定のイルミネーション効果及び音響効果の少なくともいずれかとの間の関連付けは、携帯電話１において予めプログラムしておくか、あるいは、携帯電話１のユーザインタフェースを介して、携帯電話１のユーザが上記関連付けの編集やプログラミングを行うことによりなされる。
【００４７】
図５は、本発明の実施形態に基づいて電子装置１のユーザインタフェースのイルミネーション効果を制御する方法を示す。ステップ５０１において、ユーザインタフェースのディスプレイとキーパッドの少なくとも一方に対してイルミネーション効果が与えられる。したがって、ディスプレイとキーパッドの少なくとも一方が照明されることになる。次のステップ５０２で、カレンダイベントがカレンダユニットから生成されたかどうかが検出される。カレンダイベントが検出されなかった場合、本方法は終了する。カレンダイベントが検出された場合、方法はステップ５０３へ進む。ステップ５０３では、ディスプレイとキーパッドのいずれか又は双方へ与えられるイルミネーション効果は、ステップ５０２において検出されたカレンダイベントに応じて制御される。いくつかの実施形態では、本方法は、ユーザインタフェースのスピーカへ音響効果も与えるステップ５０４と、ステップ５０２において検出されたカレンダイベントに応じて音響効果を制御するステップ５０５とを更に有することができる。更に別の実施形態では、本方法は、更に、又は上記とは別に、電子装置１の所在位置を決定するステップ５０６、並びに、決定された所在位置に応じてイルミネーション効果と音響効果のいずれか又は双方を制御するステップ５０７を有することができる。電子装置１のユーザインタフェースのイルミネーション効果を制御する目的のために、ステップ５０１乃至５０７のすべてが必要というわけではない。ただし、この目的を実行するためにはステップ５０１乃至５０３のみが必要となる。しかし、ステップ５０４乃至５０７は、本発明の更に好適な実施形態に寄与することができるオプションのステップとなる。
【００４８】
電子装置がコンピュータ機能を備え、これによってコンピュータプログラムが実行される場合には、当該コンピュータプログラムによって、例えば携帯電話のようなコンピュータ機能を備えた電子装置に本発明による方法を実行させることができる。コンピュータプログラムは、メモリのようなコンピュータ読み取り可能な媒体上に格納される。
【００４９】
本明細書において用いられている用語は特定の実施形態について単に説明することを目的とするものであって、本発明を限定することを意図したものではない。本明細書で用いられているように、単数形を示す「ａ」、「ａｎ」、「ｔｈｅ」は文脈が別様に示していない限り複数形も同様に含むことを意図するものである。「備える（comprises）」と、「備えている（comprising）」と、「含む（includes）」と、「含んでいる（including）」との少なくともいずれかの用語は、本明細書において用いられる場合、上述の特徴、数値、ステップ、処理、要素と構成要素の少なくともいずれかの存在を特定する用語であるが、１以上の他の特徴、数値、ステップ、処理、要素、構成要素及びこれらのグループの少なくともいずれかの存在又は追加を除外するものではないことを更に理解されたい。
【００５０】
別段の規定がない限り、本明細書において用いられる（技術的用語と科学的用語とを含む）すべての用語は、本発明が属している技術分野の当業者によって共通に理解されるものと同じ意味を有するものとする。本明細書において用いられている用語は、本明細書及び関連する技術分野の文脈における意味と一致する意味を有するものと解釈すべきであり、本明細書で明示的に別段の定義がない限り、理想化した意味に解釈したり、過度に形式的な意味に解釈したりすべきではないことは更に理解されよう。
【００５１】
以上、特定の実施形態を参照しながら本発明について説明した。しかし、上記記載の実施形態とは別の実施形態も本発明の範囲内において可能である。例えば、検出されたカレンダイベントに応じて音響効果のみを与えることができる電子装置を提供することも可能であり、したがって、必ずしも音響効果とイルミネーション効果の双方を組み合わせて提供する必要があるわけではない。更に、携帯電話１の特定された位置のみに応じて音響効果とイルミネーション効果の少なくともいずれかを与える能力を備えることができる電子装置を提供することも可能であり、したがって、必ずしも携帯電話１の検出されたカレンダイベントと特定された位置の双方の組み合わせに応じて、音響効果とイルミネーション効果の少なくともいずれかの効果を与える能力を備える必要があるわけではない。ハードウェア又はソフトウェアあるいはハードウェアとソフトウェアの双方を組み合わせることによって上記方法を実行する方法ステップであって、上述の方法ステップとは異なる方法ステップを本発明の範囲で提供することも可能である。本発明の異なる特徴と方法ステップとは、上述した以外の他の組み合せの形で組み合せることもできる。本発明は特許請求の範囲の記載のみによって限定される。
【図１】
2010512038.tif 000003
【図２】
2010512038.tif 000004
【図３】
2010512038.tif 000005
【図４】
2010512038.tif 000006
【図５】
2010512038.tif 000007
【手続補正書】
【提出日】平成20年10月6日(2008.10.6)
【手続補正１】
【補正対象書類名】特許請求の範囲
【補正対象項目名】全文
【補正方法】変更
【補正の内容】
【特許請求の範囲】
【請求項１】
ディスプレイ(2)とキーパッド(3)とを含むユーザインタフェースと、
前記ユーザインタフェースに接続され、前記キーパッド(3)に対するイルミネーション効果を与え、前記キーパッド(3)を照明する照明装置(7)と、
カレンダユニット(21)と、
前記カレンダユニット(21)に接続され、前記カレンダユニット(21)から生成されたカレンダイベントを検出する検出器(22)と、
前記照明装置(7)と前記検出器(22)とに接続され、異なるカレンダイベントに対しては前記キーパッド(3)への異なるイルミネーション効果が生成されるように、前記検出されたカレンダイベントに応じて前記照明装置(7)を制御するコントローラ(20)と、
を有することを特徴とする電子装置(1)。
【請求項２】
前記検出器(22)によって特定のカレンダイベントが検出されたとき、
前記コントローラ(20)は、前記検出された特定のカレンダイベントに関連づけられた特定のイルミネーション効果を与えるよう前記照明装置(7)に要求する制御信号を、前記照明装置(7)へ送信し、
前記照明装置(7)は、前記制御信号を受信し、該制御信号に応答して、前記イルミネーション効果を生成する
ことを特徴とする請求項１に記載の電子装置(1)。
【請求項３】
前記照明装置(7)は、該照明装置(7)から放射された光を有するイルミネーション効果を与えることを特徴とする請求項２に記載の電子装置(1)。
【請求項４】
前記照明装置(7)は、該照明装置(7)から放射された光による特定の輝度を有するイルミネーション効果を与えることを特徴とする請求項２に記載の電子装置(1)。
【請求項５】
前記照明装置(7)は、所定時間にわたり増加する輝度を有するイルミネーション効果を与えることを特徴とする請求項２に記載の電子装置(1)。
【請求項６】
前記照明装置(7)は、該照明装置(7)から放射されたパルス光又は点滅光によるイルミネーション効果を与えることを特徴とする請求項２に記載の電子装置(1)。
【請求項７】
前記照明装置(7)は、前記照明装置(7)から放射された、約３８０ｎｍ乃至７４０ｎｍの電磁気スペクトル、すなわち人間の目に見えるスペクトルの範囲の波長を有する光によるイルミネーション効果を与えることを特徴とする請求項２に記載の電子装置(1)。
【請求項８】
前記照明装置(7)は、該照明装置(7)から放射された光を含み、前記光の波長が所定時間にわたって連続的に変動し、これにより前記光の波長が前記所定時間内に１つの波長から別の波長へと連続的に変動するようにイルミネーション効果を与えることを特徴とする請求項２に記載の電子装置(1)。
【請求項９】
前記照明装置(7)は、前記ディスプレイ(2)へ提供されるテーマとなるイルミネーション効果を与えることを特徴とする請求項２に記載の電子装置(1)。
【請求項１０】
前記ユーザインタフェースは、前記コントローラ(20)に接続され音響効果を与えるスピーカ(4)を更に有し、前記コントローラ(20)は、前記検出されたカレンダイベントに応じて前記スピーカ(4)の前記音響効果を制御することを特徴とする請求項１に記載の電子装置(1)。
【請求項１１】
前記音響効果は音楽サウンド又は着信音であることを特徴とする請求項１０に記載の電子装置(1)。
【請求項１２】
前記カレンダイベントは、時刻、日、月、又は年による特定の時点であることを特徴とする請求項１に記載の電子装置(1)。
【請求項１３】
検出された２つの前記カレンダイベントの間の経過時間を計測するタイマを更に備え、
前記コントローラは、前記経過時間がしきい値を超えたとき、前記イルミネーション効果を第１のイルミネーション効果から第２のイルミネーション効果へ変更するための制御信号を前記照明装置(7)に送信する
ことを特徴とする請求項１２に記載の電子装置(1)。
【請求項１４】
前記コントローラ(20)に接続され、前記電子装置(1)の位置を特定する測位ユニット(40)を更に備え、
前記コントローラ(20)は、前記特定された位置に応じて前記照明装置(7)の前記イルミネーション効果を制御する
ことを特徴とする請求項１に記載の電子装置(1)。
【請求項１５】
前記コントローラ(20)に接続され、前記電子装置(1)の位置を特定する測位ユニット(40)を更に備え、
前記コントローラ(20)は、前記特定された位置に応じて前記スピーカ(4)の前記音響効果を制御する
ことを特徴とする請求項１０に記載の電子装置(1)。
【請求項１６】
前記電子装置(1)は、携帯用無線通信機器、移動体無線端末、携帯電話、セルラ電話、ページャ、コミュニケータ、電子手帳、スマートフォン、コンピュータを含むグループから選択された装置であることを特徴とする請求項１乃至１５のいずれか１項に記載の電子装置(1)。
【請求項１７】
電子装置(1)のユーザインタフェースのイルミネーション効果を制御するための方法であって、
前記ユーザインタフェースのキーパッド(3)に対するイルミネーション効果を与え、前記キーパッド(3)を照明するステップと、
カレンダユニット(21)からのカレンダイベントを検出するステップと、
異なるカレンダイベントに対しては前記キーパッド(3)への異なるイルミネーション効果が生成されるように、検出されたカレンダイベントに応じて前記イルミネーション効果を制御するステップと、
を有することを特徴とする方法。
【請求項１８】
前記ユーザインタフェースのスピーカ(4)に音響効果を与えるステップと、
前記検出されたカレンダイベントに応じて前記音響効果を制御するステップと、
を更に有することを特徴とする請求項１７に記載の方法。
【請求項１９】
前記電子装置(1)の位置を特定するステップと、
前記特定された位置に応じて前記イルミネーション効果を制御するステップと、
を更に有することを特徴とする請求項１７に記載の方法。
【請求項２０】
前記電子装置(1)の位置を特定するステップと、
前記特定された位置に応じて前記音響効果を制御するステップと、
を更に有することを特徴とする請求項１８に記載の方法。
【請求項２１】
電子装置(1)のユーザインタフェースのイルミネーション効果を制御するために、コンピュータ機能を備えた前記電子装置(1)によって実行されるコンピュータプログラムであって、
前記ユーザインタフェースのキーパッド(3)に対するイルミネーション効果を与え、前記キーパッド(3)を照明するステップのコードと、
カレンダユニット(21)からのカレンダイベントを検出するステップのコードと、
異なるカレンダイベントに対しては前記キーパッド(3)への異なるイルミネーション効果が生成されるように、検出されたカレンダイベントに応じて前記イルミネーション効果を制御するステップのコードと、
を含むことを特徴とするコンピュータプログラム。
【手続補正２】
【補正対象書類名】明細書
【補正対象項目名】０００５
【補正方法】変更
【補正の内容】
【０００５】
しかしながら、電子装置のビジュアルエクスペリエンス（visual experience）又はビジュアルインプレッション（visual impression）は、携帯電話のオーディオエクスペリエンスとは異なり、これらは依然として、時間的に不変のものである。すなわち、電子装置のビジュアルアピアランス（visual appearance）又は外観は、電子装置の耐用期間中、ほぼ同じままである。
時間が経過してもアピアランスがほぼ一定のままであるユーザ装置の問題に対する解決案としては、例えば、国際公開第２００５／０３９１６０号、米国特許出願第２００２／０１４２７９２号、国際公開第２００６／０４８３９３号に開示されている。
国際公開第２００５／０３９１６０号は、トリガイベントに応じて携帯電話のテーマを変更すること開示している。国際公開第２００５／０３９１６０号におけるテーマは、携帯電話の背景画像、呼出音、サウンド、アラートのアピアランスとして定義されている。
米国特許出願第２００２／０１４２７９２号は、トリガイベントにより携帯電話を起動するための「ユーザ・プレファレンス情報の動作セット」を開示する。この文献は、日付、年、ムーンフェイズ、現在の気象状況などのパラメータの動作セットの広範なリストに言及している。
一方、国際公開第２００６／０４８３９３号は、液晶ディスプレイパネルに関し、ディスプレイパネルのバックライトを提供するＬＥＤによって生成される光の強度を変更する手段によって、ディスプレイパネルの光を変更するものを開示している。このバックライトの変更は、環境光状態の変化や時間の関数に応じて行われる。また、このディスプレイは、時刻を表示し、表示される文字の色を時間の関数で変化させるように構成される。
【手続補正書】
【提出日】平成21年7月29日(2009.7.29)
【手続補正１】
【補正対象書類名】特許請求の範囲
【補正対象項目名】全文
【補正方法】変更
【補正の内容】
【特許請求の範囲】
【請求項１】
ディスプレイ(2)とキーパッド(3)とを含むユーザインタフェースと、
前記ユーザインタフェースに接続され、前記キーパッド(3)に対するイルミネーション効果を与え、前記キーパッド(3)を照明する照明装置(7)と、
カレンダユニット(21)と、
前記カレンダユニット(21)に接続され、前記カレンダユニット(21)から生成されたカレンダイベントを検出する検出器(22)と、
前記照明装置(7)と前記検出器(22)とに接続され、異なるカレンダイベントに対しては前記キーパッド(3)への異なるイルミネーション効果が生成されるように、前記検出されたカレンダイベントに応じて前記照明装置(7)を制御するコントローラ(20)と、
を有することを特徴とする電子装置(1)。
【請求項２】
前記検出器(22)によって特定のカレンダイベントが検出されたとき、
前記コントローラ(20)は、前記検出された特定のカレンダイベントに関連づけられた特定のイルミネーション効果を与えるよう前記照明装置(7)に要求する制御信号を、前記照明装置(7)へ送信し、
前記照明装置(7)は、前記制御信号を受信し、該制御信号に応答して、前記イルミネーション効果を生成する
ことを特徴とする請求項１に記載の電子装置(1)。
【請求項３】
前記照明装置(7)は、該照明装置(7)から放射された光を有するイルミネーション効果を与えることを特徴とする請求項２に記載の電子装置(1)。
【請求項４】
前記照明装置(7)は、該照明装置(7)から放射された光による特定の輝度を有するイルミネーション効果を与えることを特徴とする請求項２に記載の電子装置(1)。
【請求項５】
前記照明装置(7)は、所定時間にわたり増加する輝度を有するイルミネーション効果を与えることを特徴とする請求項２に記載の電子装置(1)。
【請求項６】
前記照明装置(7)は、該照明装置(7)から放射されたパルス光又は点滅光によるイルミネーション効果を与えることを特徴とする請求項２に記載の電子装置(1)。
【請求項７】
前記照明装置(7)は、該照明装置(7)から放射された光を含み、前記光の波長が所定時間にわたって連続的に変動し、これにより前記光の波長が前記所定時間内に１つの波長から別の波長へと連続的に変動するようにイルミネーション効果を与えることを特徴とする請求項２に記載の電子装置(1)。
【請求項８】
前記照明装置(7)は、前記ディスプレイ(2)へ提供されるテーマとなるイルミネーション効果を与えることを特徴とする請求項２に記載の電子装置(1)。
【請求項９】
前記カレンダイベントは、時刻、日、月、又は年による特定の時点であることを特徴とする請求項１に記載の電子装置(1)。
【請求項１０】
検出された２つの前記カレンダイベントの間の経過時間を計測するタイマを更に備え、
前記コントローラは、前記経過時間がしきい値を超えたとき、前記イルミネーション効果を第１のイルミネーション効果から第２のイルミネーション効果へ変更するための制御信号を前記照明装置(7)に送信する
ことを特徴とする請求項２に記載の電子装置(1)。
【請求項１１】
前記コントローラ(20)に接続され、前記電子装置(1)の位置を特定する測位ユニット(40)を更に備え、
前記コントローラ(20)は、前記特定された位置に応じて前記照明装置(7)の前記イルミネーション効果を制御する
ことを特徴とする請求項１に記載の電子装置(1)。
【請求項１２】
前記電子装置(1)は、携帯用無線通信機器、移動体無線端末、携帯電話、セルラ電話、ページャ、コミュニケータ、電子手帳、スマートフォン、コンピュータを含むグループから選択された装置であることを特徴とする請求項１乃至１１のいずれか１項に記載の電子装置(1)。
【請求項１３】
電子装置(1)のユーザインタフェースのイルミネーション効果を制御するための方法であって、
前記ユーザインタフェースのキーパッド(3)に対するイルミネーション効果を与え、前記キーパッド(3)を照明するステップと、
カレンダユニット(21)からのカレンダイベントを検出するステップと、
異なるカレンダイベントに対しては前記キーパッド(3)への異なるイルミネーション効果が生成されるように、検出されたカレンダイベントに応じて前記イルミネーション効果を制御するステップと、
を有することを特徴とする方法。
【請求項１４】
前記電子装置(1)の位置を特定するステップと、
前記特定された位置に応じて前記イルミネーション効果を制御するステップと、
を更に有することを特徴とする請求項１３に記載の方法。
【請求項１５】
電子装置(1)のユーザインタフェースのイルミネーション効果を制御するために、コンピュータ機能を備えた前記電子装置(1)によって実行されるコンピュータプログラムであって、
前記ユーザインタフェースのキーパッド(3)に対するイルミネーション効果を与え、前記キーパッド(3)を照明するステップのコードと、
カレンダユニット(21)からのカレンダイベントを検出するステップのコードと、
異なるカレンダイベントに対しては前記キーパッド(3)への異なるイルミネーション効果が生成されるように、検出されたカレンダイベントに応じて前記イルミネーション効果を制御するステップのコードと、
を含むことを特徴とするコンピュータプログラム。
【国際調査報告】
2010512038.tif 000008
2010512038.tif 000009
2010512038.tif 000010